(57)【要約】【課題】腕金への取付け、取り外しを容易に行え、腕金への取付時に傾斜しても、保持されている事故点探査装置アダプタが脱落しない事故点探査装置アダプタ仮保持金具を提供する。【解決手段】事故点探査装置アダプタ仮保持金具５０は、腕金８０に装着する腕金装着部５１と、アダプタ３０を保持するアダプタ保持部５２とを有する。腕金装着部５１は、上側壁５３と下側壁５４とこれらを連結する連結壁５５とを備え、連結壁５５と対峙する部分を挿入口５７とする腕金収容空間５６が内側に画成される。上側壁５３には、挿入口５７の上部を構成する係止部５８が設けられ、下側壁５４には、挿入口５７の下部を構成するガイド部５９が設けられる。アダプタ保持部５２は、アダプタ３０を保持する係止溝６４が形成された保持板６３を備え、この保持板６３の端部に、上方へ向かって延設された引っ掛り部６５を設け、仮保持金具５０が傾斜してもアダプタ３０が脱落しないようにする。【選択図】  図１
2013242212.tif 000002
【特許請求の範囲】
【請求項１】
腕金に装着する腕金装着部と、この腕金装着部と一体に形成されて事故点探査装置アダプタを保持するアダプタ保持部とを備え、
前記腕金装着部は、上側壁と、これに対峙する下側壁と、これら上側壁および下側壁のそれぞれの対峙する一辺を連結する連結壁とを具備し、内側には、前記連結壁と対峙する側が前記腕金を入出可能とする挿入口に形成された腕金収容空間が画成されると共に、前記上側壁の前記連結壁と反対側の端部に前記挿入口の上部を構成すると共に前記腕金に係止される係止部が設けられ、また、前記下側壁の前記連結壁と反対側の端部に前記挿入口の下部を構成すると共に前記腕金を前記挿入口へ案内するガイド部が設けられ、
前記アダプタ保持部は、前記腕金装着部の連結壁から前記上側壁および下側壁とは反対側に延設された保持板を備え、この保持板には、前記事故点探査装置アダプタを保持するための係止溝が前記連結壁に沿って複数並設されると共に、前記連結壁と反対側の端部に上方へ向かって延設された引っ掛り部が設けられていることを特徴とする事故点探査装置アダプタ仮保持金具。
【請求項２】
前記係止部と前記ガイド部との間の寸法は、前記腕金の高さ寸法とほぼ等しく設定されていることを特徴とする請求項１記載の事故点探査装置アダプタ仮保持金具。
【請求項３】
前記腕金装着部の前記連結壁と前記係止部との間の寸法は、前記腕金の巾寸法より大きく設定されていることを特徴とする請求項１記載の事故点探査装置アダプタ仮保持金具。
【請求項４】
前記アダプタ固定部の前記引っ掛り部は、保持板を上方へ屈曲させることにより、又は、上方へ湾曲させることにより、又は、上方へ折り返すことにより構成されていることを特徴とする請求項１記載の事故点探査装置アダプタ仮保持金具。
【発明の詳細な説明】
【技術分野】
【０００１】
この発明は、停電状態の高圧架空配電線路において、事故点探査装置を使用して事故点を探査する際に、一時的に事故点探査装置アダプタを仮保持するために用いられる事故点探査装置アダプタ仮保持金具に関する。
【背景技術】
【０００２】
架空配電線に地絡事故が発生した場合、その事故点を含む区間を健全区間から切り離し、その切り離された事故区間において地絡事故発生点を特定するため、事故点探査装置が用いられる（例えば、特許文献１、２参照）。
【０００３】
事故点探査装置は、その事故点探査装置アダプタ（以下アダプタという。）を電柱の腕金に設置された高圧カットアウトに接離させて用いるものであり（特許文献３参照）、事故点探査時には、絶縁作業棒で高圧カットアウトの蓋体を開く一方、高圧カットアウトに接続するためのアダプタ３本をアダプタ仮保持金具にセットし、絶縁操作棒を用いてそのアダプタ仮保持金具を腕金に装着し、その後、絶縁操作棒でアダプタを１本ずつ取り外して各高圧カットアウトに差し込む作業が行われる。このような作業において、従来においては、図９に示されるようなアダプタ仮保持金具が採用されていた。
【先行技術文献】
【特許文献】
【０００４】
【特許文献１】特開２００３−３５７４０号公報
【特許文献２】特開平２−１７４６８号公報
【特許文献３】特開２０１０−１７６９５４号公報
【０００５】
図９（ａ）において、アダプタ１００がアダプタ仮保持金具１３０に仮支持されている状態が示されており、先ずこのアダプタ１００について説明すると、アダプタ１００は、先端に高圧カットアウトの各端子に電気的に接続可能な一対の課電端子１０１を有しており、この課電端子１０１が図示しない螺子によりアダプタ本体１０２の先端部１０３に螺合されている。アダプタ本体１０２は、長尺状に形成されて、一端部に設けられた導電性を有する先端部１０３と、この先端部１０３に接続され、絶縁性を有する絶縁体部１０４と、他端部に設けられて共用操作棒１０６と着脱可能な接続部１０５と、絶縁体部１０４の下部から引き出されるケーブル１０７とを備えている。また、絶縁体部１０４の外周面の中程には、一対のフランジ部１０８，１０９が設けられ、さらにその上方にもフランジ部１１０が形成されている。
【０００６】
これに対し、アダプタ仮保持金具１３０は、図９（ｂ）にも示されるように、腕金に取り付ける腕金装着部１３１と、アダプタ１００を仮保持するアダプタ保持部１３２とにより構成されている。腕金装着部１３１は、水平方向に延びる上方受金具１３３と、これに対峙する下側壁１３４と、この下側壁から垂直方向に延び、上方受金具１３３と一体をなす連結壁１３５とを有して構成され、連結壁と対峙する部分は、腕金を入出可能とする挿入口１３６を構成している。
【０００７】
また、腕金装着部１３１の下側壁１３４には、固定用の押えプレート１３７を上下動させる螺子杆１３８が下側壁１３４に固着されたナット１３９に螺進退可能に取り付けられており、この螺子杆１３８の下端に共用操作棒１４１を着脱可能となる接続部１４０が設けられている。
【０００８】
前記アダプタ保持部１３２は、前記連結壁１３５の上端を前記上方受金具１３３の延設方向とは反対方向に延設された保持板１４２によって構成されているもので、この保持板１４２に、アダプタを係止するための係止溝が連結壁１３５に沿って等間隔に３つ形成されている。また、この保持板１４２の下方にも、アダプタを保持するＵ字状のアダプタ受け金具１４４が前記連結壁１３５に沿って前記保持板１４２と平行に３つ設けられている。
【０００９】
このような従来例にあって、先ず、アダプタ保持部１３２の係止溝１４３及びアダプタ受け金具１４４に予めアダプタ１００を挿入して係止させた状態で保持させておく。即ち、アダプタ１００のフランジ部１１０を、係止溝１４３の周縁に係止させると共に、アダプタ受け金具１４４を前記２つのフランジ部１０８、１０９の間に外挿させて仮保持させておく。そして、その状態で、アダプタ仮保持金具１３０を腕金に装着させる。即ち、腕金１２９を挿入口１３６より上方受金具１３３と下側壁１３４との間に挿入し、螺子杆１３８を共用操作棒１４１を介して回動させて押えプレート１３７を上昇させ、腕金１２９を上方受金具１３３と押えプレート１３７との間で挟持することで、腕金１２９にアダプタ仮保持金具１３０を装着する。
【発明の開示】
【発明が解決しようとする課題】
【００１０】
しかしながら、従来の事故点探査装置アダプタ仮保持金具１３０は、アダプタ１００を保持板１４２の係止溝１４３にスライドさせて係止させ、また、アダプタ受け金具１４４に挿入しているだけであるので、事故点探査装置アダプタ仮保持金具１３０が腕金１２９に取り付ける際に傾斜すると、アダプタ１００が係止溝１４３およびアダプタ受け金具１４４から脱落してしまう不都合があった。実際には、アダプタ１００がアダプタ仮保持金具１３０から仮に落下しても、地上へ落下することを防止するために、アダプタ１００に紐が取り付けられているが、アダプタは地上への落下を防止できたとしても、作業者の頭上に落下する恐れはあり、作業者への安全性については十分な配慮がなされていないものであった。
【００１１】
また、上述の構成においては、押えプレートを回転させて上下動させる操作が必要となるので、押えプレートの回転に伴ってアダプタ仮保持金具が回転して腕金から外れてしまうこともあり、腕金への係止作業をやり直す等、手間がかかるものであった。
【００１２】
本発明は、係る事情に鑑みてなされたものであり、事故点探査装置アダプタ仮保持金具の腕金への取付け、取り外しを容易に行えるようにすると共に、仮に事故点探査装置アダプタ仮保持金具が腕金への取付時に傾斜した場合でも、アダプタが脱落することがないようにした事故点探査装置アダプタ仮保持金具を提供することを主たる課題としている。
【課題を解決するための手段】
【００１３】
上記課題を達成するために、本発明に係る事故点探査装置アダプタ仮保持金具は、腕金に装着する腕金装着部と、この腕金装着部と一体に形成されて事故点探査装置アダプタを保持するアダプタ保持部とを備え、前記腕金装着部は、上側壁と、これに対峙する下側壁と、これら上側壁および下側壁のそれぞれの対峙する一辺を連結する連結壁とを具備し、内側には、前記連結壁と対峙する側が前記腕金を入出可能とする挿入口に形成された腕金収容空間が画成されると共に、前記上側壁の前記連結壁と反対側の端部に前記挿入口の上部を構成すると共に前記腕金に係止される係止部が設けられ、また、前記下側壁の前記連結壁と反対側の端部に前記挿入口の下部を構成すると共に前記腕金を前記挿入口へ案内するガイド部が設けられ、前記アダプタ保持部は、前記腕金装着部の連結壁から前記上側壁および下側壁とは反対側に延設された保持板を備え、この保持板には、前記事故点探査装置アダプタを保持するための係止溝が前記連結壁に沿って複数並設されると共に、前記連結壁と反対側の端部に上方へ向かって延設された引っ掛り部が設けられていることを特徴としている。
【００１４】
したがって、事故点探査装置アダプタ仮保持金具を腕金に装着する場合には、腕金を挿入口から上側壁に形成された係止部に沿ってスライドさせれば、腕金収容空間に挿入収容され、その後、腕金を連結壁の近傍に位置させることで、腕金に事故点探査装置アダプタ仮保持金具を係止させて装着することが可能となる。
【００１５】
また、腕金に装着した状態の事故点探査装置アダプタを取り外す場合には、事故点探査装置アダプタを上に押し上げ、その状態で、連結壁を腕金から遠ざかるように動かすことで、腕金は、下側壁に形成されたガイド部に当接し、このガイド部に案内されて挿入口に導かれ、そのまま事故点探査装置アダプタ仮保持金具から外れることとなる。
【００１６】
また、事故点探査装置アダプタ仮保持金具を腕金に装着する前に、事故点探査装置アダプタを、アダプタ保持部の保持板に形成された係止溝に係止させておけば、保持板の連結壁と反対側の端部に引っ掛り部が設けられているので、アダプタの係止状態は、事故点探査装置アダプタ仮保持金具が傾斜した状態においても、外れることがなくなり、事故点探査装置アダプタ仮保持金具の腕金への取り付け作業時にアダプタが誤って脱落してしまうことがなくなる。
【００１７】
ここで、前記係止部と前記ガイド部との間の寸法は、前記腕金の高さ寸法とほぼ等しく設定されていることが望ましい。このような構成とすれば、事故点探査装置アダプタ仮保持金具の上側壁と下側壁とが水平状態となっている場合に腕金が挿入口を介して入出可能となる。すなわち、事故点探査装置アダプタ仮保持金具が傾斜した場合には、腕金は挿入口を通過することができなくなり、一旦、腕金収容空間に配置された後は、腕金から外れにくくすることが可能となる。
【００１８】
また、腕金装着部の連結壁と係止部との間の寸法を、腕金の巾寸法より大きく設定することで、腕金収容空間に配置された腕金を連結壁と係止部との間に位置させた状態で事故点探査装置アダプタ仮保持金具を腕金に係止させることが可能となり、これにより、事故点探査装置アダプタ仮保持金具の傾斜を少なくし、且つ安定的に保持することが可能となる。
【００１９】
なお、アダプタ固定部の引っ掛り部は、保持板を上方へ屈曲させることにより、又は、上方へ湾曲させることにより、又は、上方へ折り返すことにより構成することで、アダプタの脱落を確実に防止することが可能となる。
いずれの形状を採用するかは、アダプタを取り付ける現地の状況や天候等を考慮して選択される。
【発明の効果】
【００２０】
以上のように、本発明によれば、事故点探査装置アダプタ仮保持金具の腕金への取り付けは、腕金を腕金装着部の挿入口より挿入して腕金収容空間に配置させるだけでよいため、腕金への装着をきわめて簡易且つ短時間で行うことが可能となる。また、腕金に装着された事故点探査装置アダプタ仮保持金具を腕金から取り外す場合も、事故点探査装置アダプタ仮保持金具を持ち上げつつ連結壁を腕金から離すように動かすことで、腕金がガイド部に案内されて挿入口に導かれ、そのまま外側へ離脱させることが可能となり、取り外し作業も簡易且つ短時間で行うことが可能となる。
【００２１】
さらに、事故点探査装置アダプタは、アダプタ保持部の仮保持板に形成された係止溝に挿入されて上下方向に係止され、また、その状態が引っ掛り部により外れることがないので、事故点探査装置アダプタ仮保持金具が腕金の取付時に傾斜された場合でも、事故点探査装置アダプタがアダプタ保持部から誤って脱落することがなくなり、作業者の安全性を確保することが可能となる。
【００２２】
なお、係止部とガイド部との間の寸法を腕金の高さ寸法とほぼ等しく形成することで、腕金収容空間に収容された腕金は、事故点探査装置アダプタ仮保持金具が傾斜している場合には、この事故点探査装置アダプタ仮保持金具から外れることがなくなり、安全性を確保することが可能となる。
【００２３】
また、腕金装着部の連結壁と係止部との間の寸法を、腕金の巾寸法より大きく設定しておくことで、腕金収容空間に収容された腕金は、係止部と連結壁との間に係止されるので、事故点探査装置アダプタ仮保持金具は、動きが規制されて係止状態が安定すると共に、係止状態が不用意に解除されることがなくなる。
【図面の簡単な説明】
【００２４】
【図１】図１は、本発明に係る事故点探査装置アダプタ仮保持金具の全体構成例を示す斜視図である。
【図２】図２は、本発明に係る事故点探査装置アダプタ仮保持金具と事故点探査装置アダプタ及び腕金との関係を説明する側面図である。
【図３】図３は、事故点探査装置アダプタを取り付けた状態を示す事故点探査装置アダプタ仮保持金具の平面図である。
【図４】図４は、事故点探査装置アダプタ仮保持金具を腕金に装着する工程を説明する図である。
【図５】図５は、事故点探査装置アダプタ仮保持金具を腕金から取り外す工程を説明する図である。
【図６】図６は、事故点探査装置アダプタ仮保持金具から事故点探査装置アダプタを取り外す工程を説明する図である。
【図７】図７は、事故点探査装置アダプタ仮保持金具の引っ掛り部の他の構成例を示す図である。
【図８】図８は、事故点探査装置アダプタ仮保持金具の引っ掛り部のさらに他の構成例を示す図である。
【図９】図９は、従来の事故点探査装置アダプタ仮保持金具を説明する図であり、（ａ）は、事故点探査装置アダプタを係止させた従来の事故点探査装置アダプタ仮保持金具を腕金に装着した状態を説明する図であり、（ｂ）は従来の事故点探査装置アダプタ仮保持金具の平面図である。
【発明を実施するための最良の形態】
【００２５】
以下、この発明の実施形態を図面にもとづいて説明する。
【００２６】
図１乃至図３において、事故点探査装置に用いられる事故点探査装置アダプタ３０と、それが仮保持される事故点探査装置アダプタ仮保持金具５０が示されている。
【００２７】
事故点探査装置アダプタ仮保持金具５０を説明する前に、事故点探査装置アダプタ３０（以下、アダプタという）の概略を説明すると、事故点探査装置アダプタ３０は、先端にカットアウト（図示せず）の各端子に電気的接続可能な一対の課電端子３１を有しており、この課電端子３１がアダプタ本体３２の先端部３３の上面に螺合されている。
【００２８】
アダプタ本体３２は、長尺状に形成されているもので、一端側に設けられた導電性を有する先端部３３と、この先端部３３に接続された絶縁性を有する絶縁体部３４と、他端側に設けられて共用操作棒３６を着脱可能とする接続部３５と、絶縁体部３４の下部から引き出されたケーブル３７とを有して構成されている。また、前記絶縁体部３４の外周面の中ほどには、拡径された一対のフランジ部３８，３９が設けられ、また、フランジ部３８のさらに上方にも拡径されたフランジ部４０が設けられている。
【００２９】
これに対し、事故点探査装置アダプタ仮保持金具５０（以下、仮保持金具という。）は、腕金８０に装着する腕金装着部５１と、アダプタ３０を保持するアダプタ保持部５２とより構成されている。
【００３０】
腕金装着部５１は、水平方向に延びる上側壁５３と、これに対峙して同じく水平方向へ延びる下側壁５４と、前記上側壁５３と下側壁５４とをそれぞれの対峙する一辺を連結する鉛直方向に延びる連結壁５５とから成る断面コ字状に形成され、これら上側壁５３、下側壁５４、連結壁５５により囲まれた領域に連結壁５５に沿って側方へ延びる腕金収容空間５６が形成され、連結壁５５と対峙する部分に腕金８０を入出可能とする挿入口５７が形成されている。
【００３１】
上側壁５３の連結壁５５から遠ざかる端部（連結壁５５と反対側の端部）には、挿入口５７の上部を構成すると共に腕金８０に係止させる係止部５８が設けられている。また、下側壁５４の連結壁５５から遠ざかる端部（連結壁５５と反対側の端部）には、挿入口５７の下部を構成すると共に腕金８０を挿入口５７へ案内するガイド部５９が設けられ、この下側壁の下面略中央には、共用操作棒を着脱可能とする接続部６１が一体に形成されている。
【００３２】
係止部５８は、上側壁５３の端部を断面矩形となるように下方へ折り返して構成されているもので、上側壁５３の端部を略直角に下方へ屈曲させた外側鉛直面５８ａと、この外側鉛直面５８ａから内側へ屈曲された下面５８ｂと、下面５８ｂに続いて上方へ屈曲された内側鉛直面５８ｃとから構成されている。係止部５８の下面５８ｂは、上側壁５３と略平行となるように上側壁５３の中程に掛けて延設され、内側鉛直面５８ｃは、この例では、連結壁５５と略平行となるように形成されている。
【００３３】
ガイド部５９は、下側壁５４の端部を断面三角形となるように折り返して構成されているもので、下側壁５４の端部を略直角に上方へ屈曲させた鉛直面５９ａと、この鉛直面５９ａに対して鋭角に折り返すように屈曲され、下側壁５４に対して傾斜する傾斜面５９ｂとから構成されている。
【００３４】
ここで、係止部５８とガイド部５９との間の寸法、より詳しくは、係止部５８の下面５８ｂとガイド部５９の鉛直面５９ａの上端との間の寸法（Ａ）は、腕金８０の高さ寸法（Ｈ）とほぼ同じ寸法（腕金の高さ寸法と同じ寸法、又は、それより多少大きい寸法）に設定されている。また、連結壁５５と係止部５８の内側鉛直面５８ｃとの間の寸法（Ｂ）は、腕金８０の巾寸法（Ｗ）よりも大きく形成されている。
また、この例では、連結壁５５と係止部５８の連結壁５５から遠ざかる端部までの距離（α）は、連結壁５５とガイド部５９の連結壁５５から遠ざかる端部までの距離（β）よりも長く（α＞β）形成されている。
【００３５】
したがって、腕金を腕金装着部５１の外側から腕金収容空間５６へ導く場合には、腕金８０の上面に係止部５８の下面５８ｂを引っ掛け、そのまま腕金装着部５１を連結壁５５が腕金８０に近づくように水平方向に動かすことで、腕金８０は、係止部の下面に案内されて腕金収容空間５６へ導かれることとなる。また、腕金収容空間５６に挿入された腕金８０を連結壁５５と係止部５８の内側鉛直面５８ｃとの間に配置させ、腕金８０の上面を上側壁５３に当接させることで、腕金装着部５１の動きは規制され、仮保持金具５０は腕金８０から容易には外れない係止状態が確立される。
特に、連結壁５５と係止部５８の内側鉛直面５８ｃとの間の寸法（Ｂ）が腕金８０の巾寸法（Ｗ）よりも僅かに大きい場合には、上述した仮保持金具５０の腕金８０への係止状態において、仮保持金具５０の傾斜を防ぐことが可能となる。
【００３６】
さらに腕金装着部５１において、ガイド部５９は、下側壁５４に対して、挿入口５７に向かって徐々に高くなる傾斜面５９ｂとなっているので、腕金８０から仮保持金具５０を外す際には、仮保持金具５０を持ち上げつつ、ガイド部５9の傾斜面５９ｂに腕金８０を当接させ、その状態を維持しながら腕金装着部５１を連結壁５５が腕金８０から遠ざかるように動かすことで、腕金８０を挿入口５７へ導くことが可能となり、そのまま腕金装着部５１を腕金８０から外す（腕金８０を腕金収容空間５６の外側へ相対的に移動させる）ことが可能となる。
【００３７】
仮保持金具５０のアダプタ保持部５２は、腕金装着部５１の連結壁５５の略中央から上側壁５３および下側壁５４とは反対側に延設（この例では、連結壁５５に対して略垂直に延設）された保持板６３により構成されている。この保持板６３には、アダプタ３０を挿入保持するための係止溝６４が形成されている。この係止溝６４は、保持板６３の連結壁５５から遠ざかる端部に開口し、連結壁５５に向かって伸びる（連結壁５５と垂直方向に延びる）ように形成されているもので、この例では、三相架空配電線に対応して３つのアダプタ３０を保持することができるよう３つの係止溝６４が連結壁５５に沿って並設されている。
【００３８】
この係止溝６４の巾は、アダプタ３０のフランジ部３８の下方の外径と同等か多少大きく形成され、また、フランジ部３８の外径よりも小さく形成されており、係止溝６４の周縁にアダプタ３０のフランジ部３８が係止できるようになっている。
【００３９】
また、保持板６３の連結壁５５と反対側の端部には、上方へ向かって延設された引っ掛り部６５が設けられている。この例において、引っ掛り部６５は、上方へ略直角に屈曲させて（Ｌ字状に）形成されており、これにより、仮保持金具５０が腕金８０への取付時に傾斜した場合でも、アダプタ３０が係止溝６４から外れない（アダプタ３０のフランジ部３８の保持板６３への係止状態が外れない）ようになっている。
【００４０】
次に、上述した仮保持金具５０を腕金８０に取り付ける作業工程と腕金８０から取り外す作業工程について説明する。
図４は、腕金８０に仮保持金具５０を取付ける作業工程を示すもので、先ず、共用操作棒６７を仮保持金具５０の腕金装着部５１の下側壁５４に設けられた接続部６１に接続し、また、３つのアダプタ３０をそれぞれアダプタ保持部５２の係止溝６４に側方から挿入してフランジ部３８を係止溝周縁に係止させ、アダプタ３０を保持板６３に保持させておく。
【００４１】
そして共用操作棒６７を持って、仮保持金具５０を腕金装着部５１の挿入口５７が腕金８０と同程度の高さとなるように持ち上げ、図４（ａ）に示されるように、腕金８０の上面に係止部５８の下面５８ｂを引っ掛け、その状態を保持しながら、仮保持金具５０を腕金８０に向けて動かす。すると、腕金装着部５１の挿入口５７は、その高さ寸法（Ａ）が腕金８０の高さ寸法（Ｗ）にほぼ等しく（腕金の高さ寸法よりもやや大きく）設定されているため、腕金８０は、挿入口５７に挿入し、そのまま腕金装着部５１を腕金８０に向けて動かせば、腕金８０は係止部５８の下面５８ｂに案内されて腕金収容空間５６に導かれ、図４（ｂ）に示されるように、腕金８０は連結壁５５に当接された状態となる。
【００４２】
その後、仮保持金具５０を図４（ｃ）の矢印に示すように下方へ動かせば、腕金装着部５１の連結壁５５と係止部５８の内側鉛直面５８ｃとの間の寸法（Ｂ）が腕金８０の巾寸法（Ｗ）より大きく形成されているので、腕金８０は、その上面が上側壁５３の下面に当接し、腕金収容空間５６の連結壁５５と係止部５８との間に配置される。これにより、仮保持金具５０は、腕金８０に対して多少は揺動するものの、腕金８０に対する係合状態が維持されることとなる。
【００４３】
この際、アダプタ３０の係止溝６４への係止状態は、引っ掛り部６５が保持板６３の先端を上方へ延設させて形成されているので、仮に仮保持金具５０が腕金８０への取付時に傾斜したとしても、アダプタ３０自身は係止溝６４を摺動するものの、引っ掛り部６５にアダプタ３０のフランジ部３８が突き当たることで維持される。このため、仮保持金具５０の腕金８０への取付時にアダプタ３０が脱落することを防止することが可能となる。
【００４４】
図５は腕金８０から仮保持金具５０を取り外す作業工程を示すもので、図４（ｃ）に示される装着状態において、仮保持金具５０を腕金８０から取り外すには、仮保持金具５０を矢印のように上方へ持ち上げ、腕金８０を腕金収容空間５６の係止部５８よりも下側の位置まで移動させる（図５（ａ））。その後、仮保持金具５０を連結壁５５が腕金８０から離れるように動かし、腕金８０の下端をガイド部５９の傾斜面５９ｂに接触させ、その状態を維持しながら、仮保持金具を更に動かすことで、腕金８０は挿入口５７へ導く（図５（ｂ））。この際、腕金８０が傾斜面５９ｂを摺動しやすくするために、共用操作棒６７を傾け、仮保持金具５０をアダプタ保持部５２が上側に傾斜するように傾けてもよい。そして、腕金８０が挿入口５７に導かれた後は、腕金装着部５１を水平に戻し、腕金８０から遠ざけるように動かすことで、仮保持金具５０を腕金からスムーズに外す（腕金８０を挿入口５７から腕金収容空間５６の外側へ相対的に移動させる）ことが可能となる。
【００４５】
なお、腕金８０に装着された仮保持金具５０に仮保持されているアダプタ３０を利用する場合は、図６に示されるように、アダプタ３０の接続部３５に共用操作棒３６を装着し、その後、アダプタ３０を、フランジ部３８を保持板６３から離すように持ち上げつつ（図６（ａ））、アダプタ３０を水平方向（図中、右方）へ動かして、アダプタ３０を係止溝６４から外せばよい（図６（ｂ））。
【００４６】
なお、上述の構成においては、引っ掛り部６５を上方へ屈曲させた略Ｌ字状に形成した例を示したが、これに限定されるものではなく、例えば、図７に示されるように、上方へ湾曲させることにより、又は、図８に示されるように、上方へ折り返すことにより構成してもよい。特に、図８に示す折り返し形状とすることで、フランジ部８の上下方向の動きも規制でき、脱落防止効果を増大させることが可能となる。  
また、上述の構成においては、係止部５８がガイド部５９よりも突出させた例（連結壁５５から係止部５８の先端までの距離を連結壁５５からガイド部５９の先端までの距離より長くした例）を示したが、連結壁５５から先端までの距離を同じ長さにしてもよい。
【符号の説明】
【００４７】
３０  事故点探査装置アダプタ
３１  課電端子
３３  先端部
３４  絶縁体部
３５  接続部
３６  共用操作棒
３７  ケーブル
３８  フランジ部
３９  フランジ部
４０  フランジ部
５０  事故点探査装置アダプタ仮保持金具
５１  腕金装着部
５２  アダプタ保持部
５３  上側壁
５４  下側壁
５５  連結壁
５６  空間
５７  挿入口
５８  係止部
５９  ガイド部
６１  接続部
６３  保持板
６４  係止溝
６５  引っ掛り部
６７  共用操作棒
８０  腕金
【図１】
2013242212.tif 000003
【図２】
2013242212.tif 000004
【図３】
2013242212.tif 000005
【図４】
2013242212.tif 000006
【図５】
2013242212.tif 000007
【図６】
2013242212.tif 000008
【図７】
2013242212.tif 000009
【図８】
2013242212.tif 000010
【図９】
2013242212.tif 000011